(57)【要約】【課題】  生前に納棺を簡便かつリアルに模擬体験することを可能にする模擬納棺用具を実現する。【解決手段】  開示される模擬納棺用具１０１は、上体を起こした状態で納棺を模擬体験するための用具であって、箱状体１と、脚体３と、蓋体５と、を備えている。箱状体１は、使用者の胴体の一部から頭までを収容可能で、前方及び下方が開いている。脚体３は、使用者に干渉することなく、箱状体１を支持する。蓋体５は、箱状体１の前方を覆い、窓７を有する。箱状体１、及び窓７を有する蓋体５は、棺を模した構造に相当する。箱状体１、蓋体５の装飾性等の形態を、現実に準備される棺の一部と同一とすることも可能である。【選択図】  図１
2020081181.tif 000002
【特許請求の範囲】
【請求項１】
上体を起こした状態で、納棺を模擬体験するための模擬納棺用具であって、
使用者の胴体の一部から頭までを収容可能で、前方及び下方が開いた箱状体と、
前記使用者に干渉することなく、前記箱状体を支持する脚体と、
前記箱状体の前方を覆い、窓を有する蓋体と、を備える模擬納棺用具。
【請求項２】
前記箱状体又は蓋体の内側であって、前記使用者の顔の位置の両側に設置された照明器具を、さらに備える請求項１に記載の模擬納棺用具。
【請求項３】
前記箱状体の後壁の内側表面に配置され、前記使用者の頭部の枕として機能する緩衝体を、さらに備える請求項１又は２に記載の模擬納棺用具。
【請求項４】
前記箱状体の内側に配置され、前記使用者の顔の周囲の少なくとも一部を装飾する装飾体を、さらに備える請求項１から３のいずれかに記載の模擬納棺用具。
【請求項５】
前記蓋体は、前記箱状体に対して、着脱自在又は開閉自在である、請求項１から４のいずれかに記載の模擬納棺用具。
【請求項６】
前記蓋体は、前記窓を開閉自在に覆う開閉蓋を有する、請求項１から５のいずれかに記載の模擬納棺用具。
【請求項７】
前記箱状体の前方に配置可能であり、配置することにより前記使用者が自身の姿を映して目視することを可能にする鏡を、さらに備える、請求項１から６のいずれかに記載の模擬納棺用具。
【請求項８】
前記箱状体又は前記蓋体の内側に設置され、無線により音声信号を受信することにより音声を再生し、前記使用者が聴くことを可能にする無線スピーカを、さらに備える、請求項１から７のいずれかに記載の模擬納棺用具。
【発明の詳細な説明】
【技術分野】
【０００１】
本発明は、横臥することなく上体を起こした状態で、納棺を模擬体験するための模擬納棺用具に関する。
【背景技術】
【０００２】
近年、葬儀において、装飾性が加味された様々な棺が用いられ、棺の内側にも生花、造花、ブリザード、その他の装飾体により装飾が施され、また納棺される故人にも化粧が施されるようになっている。しかし、故人となり納棺されることとなる本人は、生前において、納棺を簡便かつリアルに模擬体験し、棺のグレード（等級）、装飾体の形態、化粧の形態などを選択する手段がなかった。なお、同一出願人による特許文献１及び２には、納棺される故人を生花又は造花により装飾する技術、及び納棺される故人を、棺内温度の上昇を抑えつつ照明する技術が、開示されている。
【先行技術文献】
【特許文献】
【０００３】
【特許文献１】実用新案登録第3119274号公報
【特許文献２】実用新案登録第3166838号公報
【発明の概要】
【発明が解決しようとする課題】
【０００４】
本発明は上記の問題点に鑑みてなされたもので、生前に納棺を簡便かつリアルに模擬体験することを可能にする模擬納棺用具を提供することを目的とする。
【課題を解決するための手段】
【０００５】
上記課題を解決し上記目的を達成するために、本発明のうち第１の態様によるものは、上体を起こした状態で、納棺を模擬体験するための模擬納棺用具であって、箱状体と、脚体と、蓋体と、を備えている。箱状体は、使用者の胴体の一部から頭までを収容可能で、前方及び下方が開いている。脚体は、前記使用者に干渉することなく、前記箱状体を支持する。蓋体は、前記箱状体の前方を覆い、窓を有する。
【０００６】
この構成によれば、使用者は、横臥することなく、例えば座した状態、起立した状態など、上体を起こした状態で、自身の胴体の一部から頭までを箱状体に収容させ、箱状体の前方を向くことにより、納棺を簡便に模擬体験することができる。また、箱状体、及び窓を有する蓋体は、棺を模した構造に相当するので、使用者はリアルに納棺を模擬体験できる。使用者は、蓋体の窓を通して、鏡に自身を映して見ることにより、納棺された自身の姿を確認することができる。窓を通して、納棺された自身の姿を写真に撮影することも可能である。箱状体、蓋体の装飾性等の形態を、現実に準備される棺の一部と同一とすることで、使用者は模擬体験を通じて、将来に使用すべき棺の形態を選択することもできる。同様に、使用者は、棺の中にあるときの使用者自身の化粧をも、模擬体験を通じて選択することができる。
【０００７】
本発明のうち第２の態様によるものは、第１の態様による模擬納棺用具であって、前記箱状体又は蓋体の内側であって前記使用者の顔の位置の両側に設置された照明器具を、さらに備えている。
【０００８】
この構成によれば、使用者は、照明器具が付属することより棺内を華やかにする形態の棺への納棺を、模擬体験することができる。
【０００９】
本発明のうち第３の態様によるものは、第１又は第２の態様による模擬納棺用具であって、前記箱状体の後壁の内側表面に配置され、前記使用者の頭部の枕として機能する緩衝体を、さらに備えている。
【００１０】
この構成によれば、使用者は、頭部の下に枕を敷いた形態でなされる納棺を、模擬体験することができる。また、箱状体の中に収容される使用者の頭部の位置が安定する。
【００１１】
本発明のうち第４の態様によるものは、第１から第３のいずれかの態様による模擬納棺用具であって、前記箱状体の内側に配置され、前記使用者の顔の周囲の少なくとも一部を装飾する装飾体を、さらに備えている。
【００１２】
この構成によれば、使用者は、装飾体が施された形態でなされる納棺を、模擬体験することができる。また、使用者は、納棺時に施される装飾体を、模擬体験を通じて選択することができる。
【００１３】
本発明のうち第５の態様によるものは、第１から第４のいずれかの態様による模擬納棺用具であって、前記蓋体は、前記箱状体に対して、着脱自在又は開閉自在である。
【００１４】
この構成によれば、使用者は、蓋体が箱状体から取り外された状態、又は開放された状態で、箱状体の開放された前方から箱状体の中に、胴体の一部及び頭部を入れることができ、また、箱状体の開放された前方から箱状体の外へ、胴体の一部及び頭部を出すことができる。すなわち、箱状体への使用者の出入りが容易となる。
【００１５】
本発明のうち第６の態様によるものは、第１から第５のいずれかの態様による模擬納棺用具であって、前記蓋体は、前記窓を開閉自在に覆う開閉蓋を有している。
【００１６】
この構成によれば、使用者は、蓋体の窓に開閉蓋が設けられた形態の棺への納棺を、模擬体験することができる。
【００１７】
本発明のうち第７の態様によるものは、第１から第６のいずれかの態様による模擬納棺用具であって、前記箱状体の前方に配置可能であり、配置することにより前記使用者が自身の姿を映して目視することを可能にする鏡を、さらに備えている。
【００１８】
この構成によれば、鏡を箱状体の前方に配置することにより、使用者は、蓋体の窓を通して、鏡に自身を映して見ることができ、それにより、納棺された自身の姿を確認することができる。鏡は、箱状体と連結されていてもよく、別体であっても良い。
【００１９】
本発明のうち第８の態様によるものは、第１から第７のいずれかの態様による模擬納棺用具であって、前記箱状体又は前記蓋体の内側に設置され、無線により音声信号を受信することにより音声を再生し、前記使用者が聴くことを可能にする無線スピーカを、さらに備えている。
【００２０】
この構成によれば、使用者は、棺にスピーカが設置され、棺内に音楽等の音声が流れる形態の納棺を、模擬体験することができる。それにより、音楽等の音声の種類を選択することもできる。
【発明の効果】
【００２１】
以上のように本発明によれば、生前に納棺を簡便かつリアルに模擬体験することを可能にする模擬納棺用具が実現する。
【図面の簡単な説明】
【００２２】
【図１】本発明の一実施の形態による模擬納棺用具の基本構成を例示する斜視図である。
【図２】図１の模擬納棺用具の一部の外観を例示する斜視図であり、（ａ）は本体の外観を例示し、（ｂ）は本体の一部を拡大して例示している。
【図３】図１の模擬納棺用具の箱状体の内部について、構成を例示する斜視図であり、箱状体の壁体を一部削除して例示している。
【図４】図１の模擬納棺用具の蓋体の内側について、構成を例示する斜視図である。
【図５】図１の模擬納棺用具の使用の形態を例示する概略図である。
【図６】図１の模擬納棺用具の試作品を例示する写真である。
【発明を実施するための形態】
【００２３】
図１は、本発明の一実施の形態による模擬納棺用具の基本構成を例示する斜視図である。この模擬納棺用具１０１は、使用者が上体を起こした状態で、納棺を模擬体験することを可能にする用具であり、箱状体１、脚体３、及び蓋体５を有している。箱状体１は、使用者の胴体の一部から頭までを収容可能であり、かつ前方及び下方が開放された箱状をなしている。脚体３は、箱状体１を床面２９などに支持する部材である。蓋体５は、箱状体１の開放された前方を覆う部材である。蓋体５には、窓７が形成されている。蓋体５は、箱状体１に対して着脱自在又は開閉自在であることが好ましい。図１の例では、蓋体５は箱状体１に対して着脱自在である。
【００２４】
模擬納棺用具１０１の本体６をなす箱状体１及び蓋体５は、棺の頭部に相当する。現実に使用される棺の頭部を、模擬納棺用具１０１の本体６として使用することも可能である。使用者は、横臥することなく、椅子９に座した状態で、自身の胴体の一部から頭までを箱状体１に収容させ、箱状体１の前方を向くことにより、納棺を簡便にかつリアルに模擬体験することができる。使用者は、蓋体５の窓７を通して、鏡に自身を映して見ることができるとともに、納棺された自身の姿を写真に撮影することも可能である。箱状体１及び蓋体５の形状、色彩、装飾等の形態を、現実に準備される棺の頭部と同一とすることにより、使用者は模擬体験を通じて、将来に使用すべき棺の形態を選択することができる。使用者は、棺の中にあるときの使用者自身の化粧をも、模擬体験を通じて選択することができる。
【００２５】
図２は、模擬納棺用具１０１の一部の外観を例示する斜視図であり、（ａ）は本体６の外観を例示し、（ｂ）は本体６の一部を拡大して例示している。図２（ａ）に示すように、蓋体５には、窓７を開閉自在に覆う開閉蓋１１が設けられている。開閉蓋１１は、図示の例では左右一対からなり、それぞれが蝶番１０により開閉自在に蓋体５に取り付けられている。開閉蓋１１の前面には、手操作による開閉を可能にする摘まみ１２が取り付けられている。開閉蓋１１も、棺を模擬したものである。
【００２６】
図２（ｂ）に示すように、蓋体５のうち、箱状体１に対向する面の上端部には、Ｌ字状に屈曲した板状の留め具１３が取り付けられている。留め具１３のうち、上部の水平に延びる部分には、孔１４が形成されている。箱状体１の天井壁のうち蓋体５に近接する部位には、ピン１５が固定されている。ピン１５は、箱状体１の天井壁の外側表面から上方に突起している。留め具１３の孔１４にピン１５を通し、水平に延びる部分を箱状体１の天井壁の上に当接させることにより、留め具１３をピン１５に係合させることができる。留め具１３をピン１５に着脱自在に係合させることにより、蓋体５を箱状体１に着脱自在に装着することができる。留め具１３は、例えば、帯状の金属板に孔１４を形成し、Ｌ字状に折り曲げることにより、容易に形成可能である。ピン１５は、箱状体１の天井壁にねじ込まれた木ネジであってもよい。
【００２７】
図３は、模擬納棺用具１０１の箱状体１の内部について、構成を例示する斜視図であり、箱状体１の壁体を一部削除して例示している。図示の例では、箱状体１の内側表面は、美麗な布１６で覆われている。この布１６は、例えば接着剤により箱状体１の内側表面に貼着されている。また、箱状体１の後壁の内側表面には、緩衝体１７が設置されている。緩衝体１７は、使用者の頭部を保持する枕として機能する。枕を有する棺への納棺を模擬体験することができるとともに、模擬体験する使用者の頭部の位置が安定する。緩衝体１７は、例えば、スポンジを布でくるんだものであり、接着剤により箱状体１の後壁の内側表面に、直接あるいは布１６を介して間接的に貼着される。図示の例では、緩衝体１７は、使用者の頭部を保持する部分に凹部１９が形成されている。それにより、現実の納棺により近い形態で模擬体験することができるとともに、使用者の頭部が一層安定して保持される。
【００２８】
緩衝体１７の前面には、造花２０などの装飾体を保持する装飾体保持体２１が設置されている。装飾体保持体２１は、例えば、厚板状の発泡樹脂材であり、緩衝体１７の前面に接着剤により貼着されている。造花２０の茎に相当する部分を、装飾体保持体２１に挿（さ）すことにより、造花２０を装飾体保持体２１に保持することができる。造花２０は、緩衝体１７を枕とする使用者の顔の周囲を装飾する。造花２０に代えて、生花あるいは生花を溶液で固めたブリザードを使用してもよく、その他の人造又は天然の装飾品を使用することも可能である。
【００２９】
箱状体１の内側には、さらに、照明器具２３が設置されている。照明器具２３は、使用者の顔を左右両側から照らすように、一例として、箱状体１の左右の壁体の内側表面に取り付けられている。照明器具２３は、例えば白色のＬＥＤ照明装置である。現実の納棺においては、棺内は冷却する必要がある。発熱量の少ないＬＥＤ照明装置は、棺内の照明に好適である。顔を左右から照らす照明は、棺内を華やかにする効果がある。照明器具２３の電源線は、例えば箱状体１の壁体を貫通して配設されるが、図示を略している。
【００３０】
箱状体１の内側には、さらに、無線スピーカ２５が設置されている。無線スピーカ２５は、電波を媒体として、音楽等の音声信号を受信することにより、音声を再生する装置である。図示を略する主装置から、音声信号を載せた電波が発信される。使用者は、棺内に音楽等の音声が流れる形態の納棺を、模擬体験することができ、自身の納棺時に流す音楽等の音声の種類を選択することもできる。また、音楽など適切な音声を選択することにより、模擬体験中に、閉所に置かれていることによる使用者の圧迫感を緩和することもできる。図示の例では、一対の無線スピーカ２５が、箱状体１の左右の壁体の内側表面に取り付けられており、使用者はステレオ音声を聞くことが可能となっている。無線スピーカ２５の電源線は、例えば箱状体１の壁体を貫通して配設されるが、図示を略している。
【００３１】
図４は、模擬納棺用具１０１の蓋体５の内側について、構成を例示する斜視図である。図示の例では、箱状体１と同様に、蓋体５の内側表面は、美麗な布２７で覆われている。この布２７は、例えば接着剤により蓋体５の内側表面に貼着されている。図４には、照明器具２３及び無線スピーカ２５が、蓋体５に設置されている例を示している。図示の例では、照明器具２３は、蓋体５の左右の壁体の内側表面に取り付けられている。また、無線スピーカ２５は、蓋体５の底部壁の内側表面に取り付けられている。照明器具２３及び無線スピーカ２５は、箱状体１と蓋体５のうち、一方にのみあってもよく、双方にあってもよい。照明器具２３及び無線スピーカ２５の電源線は、例えば蓋体５の壁体を貫通して配設されるが、図示を略している。なお、蓋体５は、箱状体１と同様に、下方が開いた無底であってもよい。 
【００３２】
図５は、模擬納棺用具１０１の使用の形態を例示する概略図である。図示の例では、模擬納棺用具１０１及び椅子９は、床面２９の上に置かれている。模擬納棺用具１０１の設置場所として、葬儀社の展示ルームなどが想定される。また、鏡３１を有する鏡台３３が準備される。図示の例では、鏡台３３は床面２９の上に置かれる。鏡台３３は、床面２９の上を移動可能なように、その台座３５にキャスタが設けられていてもよい。また、鏡台３３は模擬納棺用具１０１と連結されていてもよく、鏡３１のみが模擬納棺用具１０１に、例えば連結棒を介して取り付けられていてもよい。
【００３３】
使用者は、椅子９に座して、胴体の一部及び頭部を箱状体１の中に納め、枕として機能する緩衝体１７（図３参照）の所定の位置に頭部を置く。模擬納棺用具１０１の４本の脚体３は、椅子９及び使用者の身体と干渉しないように、左右の間隔が十分に広く設定されている。頭部が緩衝体１７の所定の位置に、容易に保持できるよう、椅子９あるいは脚体３を、高さ調節が可能な構造にしてもよく、様々な高さの椅子９を準備しておいてもよい。蓋体５は、箱状体１に対して着脱自在であるので、使用者は、蓋体５が箱状体１から取り外された状態で、箱状体１の開放された前方から箱状体１の中に、胴体の一部及び頭部を入れることができ、また、箱状体１の開放された前方から箱状体１の外へ、胴体の一部及び頭部を出すことができる。このように使用者は、箱状体１に容易に出入りすることができる。
【００３４】
胴体の一部及び頭部を箱状体１の中に納めた使用者は、蓋体５の窓７を覆う開閉蓋１１が開かれた状態で、箱状体１の前方に配置される鏡３１に映る、自身の姿を目視することができる。それにより使用者は、納棺された自身の姿を確認することができる。また、箱状体１の前方から写真撮影をすることにより、使用者の姿を写真に納めることも可能である。
【００３５】
図６は、模擬納棺用具１０１の試作品を例示する写真である。この写真は、蓋体５の開閉蓋１１を開いた状態で、模擬納棺用具１０１の本体６を撮影したものである。写真の例では、使用者の頭部が位置する部位の左右両側及び上部に、数多くの造花２０が装飾体として配置されている。
【００３６】
（その他の実施の形態）
模擬納棺用具１０１は、使用者が椅子９に座して納棺を模擬体験できるように構成されている。これに対して、模擬納棺用具１０１の脚体３を、より長く設定することにより、使用者が立ったままで、納棺を模擬体験できるようにしてもよい。いずれであっても、使用者は、横臥することなく上体を起こした状態で、納棺を簡便に模擬体験することができる。
【００３７】
模擬納棺用具１０１の本体６を成す箱状体１及び蓋体５は、現実に使用される棺と同様に、使用者の年齢、体格を想定した寸法に設定することができる。ある模擬納棺用具１０１が、使用者の胴体の一部から頭までを収容可能か否かは、その模擬納棺用具１０１がどのような年齢、体格の使用者を想定したものであるか、に従って判断可能である。
【符号の説明】
【００３８】
１  箱状体、３  脚体、５  蓋体、６  本体、７  窓、９  椅子、１１  開閉蓋、１０  蝶番、１２  摘まみ、１３  留め具、１４  孔、１５  ピン、１６  布、１７  緩衝体、１９  凹部、２０  造花、２１  装飾体保持体、２３  照明器具、２５  無線スピーカ、２７  布、２９  床面、３１  鏡、３３  鏡台、３５  台座、１０１  模擬納棺用具。
【図１】
2020081181.tif 000003
【図２】
2020081181.tif 000004
【図３】
2020081181.tif 000005
【図４】
2020081181.tif 000006
【図５】
2020081181.tif 000007
【図６】
2020081181.tif 000008